(57)【要約】【課題】幅方向に２個以上、長手方向に２個以上連結して同一フロアに４個以上のコンテナハウス用ユニットを用いる場合の連結作業を容易にする。【解決手段】一階居室ユニット１１〜１３の廊下側は前面開放型コーナーキャスティング４０Ａとし、一階居室ユニット１１，１３，１４，１６の外壁側は側面開放型コーナーキャスティング４０Ｂとし、一階居室ユニット１４〜１６のバルコニー側は後面開放型コーナーキャスティング４０Ｃとし、一階居室ユニット１１〜１６の居室内の連結位置についてはユニット内側に長いタイプでユニット内面側に開口部５１が形成された内面開放長型コーナーキャスティング４０Ｄを用いる。【選択図】  図４
2007224707.tif 000002
【特許請求の範囲】
【請求項１】
直方体の枠を構成する枠部材の各角部にコーナーキャスティングを備え、予め内装や外装が仕上げられ、複数個を前記コーナーキャスティングの部分でボルト締めによって連結することでコンテナハウスを建築するためのコンテナハウス用ユニットであって、以下の構成を採用したことを特徴とするコンテナハウス用ユニット。
（１−１）前記連結に用いるコーナーキャスティングには、該連結作業を行うために作業者が工具や手を挿入することのできる開口部を備えていること。
（１−２）前記連結に用いるコーナーキャスティングの内の少なくとも一つを、当該コーナーキャスティングに連結される枠部材の連結端よりもユニット内に長く伸びた部分を有し、当該長く伸びた部分のユニット内面側に前記開口部を備えるものとしたこと。
【請求項２】
直方体の枠を構成する枠部材の各角部にコーナーキャスティングを備え、予め内装や外装が仕上げられ、複数個を前記コーナーキャスティングの部分でボルト締めによって連結することでコンテナハウスを建築するためのコンテナハウス用ユニットであって、以下の構成を採用したことを特徴とするコンテナハウス用ユニット。
（２−１）長手方向一方の端部のコーナーキャスティングは、当該端部を開口部としたこと。
（２−２）長手方向他方の端部のコーナーキャスティングは、当該コーナーキャスティングに連結される枠部材の連結端よりもユニット内に長く伸びた部分を有し、当該長く伸びた部分のユニット内面側に前記開口部を備えるものとしたこと。
【請求項３】
直方体の枠を構成する枠部材の各角部にコーナーキャスティングを備え、予め内装や外装が仕上げられ、複数個を前記コーナーキャスティングの部分でボルト締めによって連結することでコンテナハウスを建築するためのコンテナハウス用ユニットであって、以下の構成を採用したことを特徴とするコンテナハウス用ユニット。
（３−１）全てのコーナーキャスティングを、当該コーナーキャスティングに連結される枠部材の連結端よりもユニット内に長く伸びた部分を有し、当該長く伸びた部分のユニット内面側に前記開口部を備えるものとしたこと。
【請求項４】
さらに、以下の構成を備えていることを特徴とする請求項１〜３のいずれか記載のコンテナハウス用ユニット。
（４−１）前記長く伸びた部分のユニット内面側の開口部は、ユニット下側に位置する場合は上面に向かって開口する上面開口部として構成し、ユニット上側に位置する場合は下面に向かって開口する下面開口部として構成したこと。
【請求項５】
直方体の枠を構成する枠部材の各角部にコーナーキャスティングを備え、予め内装や外装が仕上げられたコンテナハウス用ユニットを、前記コーナーキャスティングの部分でボルト締めによって連結して建築されるコンテナハウスであって、以下の構成を採用したことを特徴とするコンテナハウス。
（５−１）前記コンテナハウス用ユニットを、幅方向に２個以上、長手方向に２個以上連結することにより、同一フロアに４個以上のコンテナハウス用ユニットを用いること。
（５−２）前記コンテナハウス用ユニットとして、請求項１〜４のいずれか記載のコンテナハウス用ユニットを、同一フロアの４個のユニットの連結部に、前記ユニット内面側に前記開口部を備えるコーナーキャスティングが位置する様に用いること。
【発明の詳細な説明】
【技術分野】
【０００１】
本発明は、コンテナハウスを建築する際のコンテナハウス用ユニット同士を連結する技術に関するものである。
【背景技術】
【０００２】
従来より、予め工場で内装や外装が仕上げられた複数のコンテナハウス用ユニットを組立てて連棟させることにより現地での据付けが容易な、コンテナハウスが知られている（例えば、特許文献１，２）。
【特許文献１】特開２００４−０６８２８５号公報（００１３，図３）
【特許文献２】特開２００４−２５７１１５号公報（００１１，図３）
【発明の開示】
【発明が解決しようとする課題】
【０００３】
特許文献１は、各室ユニット間の結合に当たって、コーナーキャスティングを取り外し、天面枠とその上層の室ユニットの底面枠とをボルトで連結し、隣接する室ユニットの柱骨同士を通しボルトで連結する方法を提案している。
【０００４】
特許文献２は、二つのコンテナハウスを水平方向に連棟させる構造として、コンテナハウスの縦枠体の下部に外側へ張り出す様に取り付けられた取付金具の間に間隔調整用のスペーサを挟み込んで連結する方法を提案している。
【０００５】
この様に、特許文献１の技術では海上輸送されてきたコンテナハウス用のユニットからコーナーキャスティングを取り外す必要がある。また、特許文献２の技術では、取付金具を取り付けなければならない。このため、従来の技術では、海上輸送用のコンテナを輸送されてきた状態のままでそのまま用いることができないという問題がある。
【０００６】
なお、特許文献１には、コーナーキャスティングを残し、室ユニットを縦横に連結していく際にその孔を利用することもできる旨の記載もあるが、その具体的な方法等については開示されていない。
【０００７】
そこで、本発明者は、輸送されてきたコンテナハウス用ユニットをそのまま連結できる様にすることを目的として、先に、特願２００５−２３５１９７号を出願したが、コンテナハウス用ユニットを、幅方向に２個以上、長手方向に２個以上連結することにより、同一フロアに４個以上のコンテナハウス用ユニットを用いる場合の連結構造については、改善の余地がある。
【０００８】
そこで、本願は、コンテナハウス用ユニットを、幅方向に２個以上、長手方向に２個以上連結することにより、同一フロアに４個以上のコンテナハウス用ユニットを用いる場合に、連結作業を容易に実施できる様にすることを目的とする。
【課題を解決するための手段】
【０００９】
上記目的を達成するため、本願は、次の（１）〜（３）のいずれかのコンテナハウス用ユニットを提案する。
【００１０】
（１）直方体の枠を構成する枠部材の各角部にコーナーキャスティングを備え、予め内装や外装が仕上げられ、複数個を前記コーナーキャスティングの部分でボルト締めによって連結することでコンテナハウスを建築するためのコンテナハウス用ユニットであって、以下の構成を採用したことを特徴とするコンテナハウス用ユニット。
（１−１）前記連結に用いるコーナーキャスティングには、該連結作業を行うために作業者が工具や手を挿入することのできる開口部を備えていること。
（１−２）前記連結に用いるコーナーキャスティングの内の少なくとも一つを、当該コーナーキャスティングに連結される枠部材の連結端よりもユニット内に長く伸びた部分を有し、当該長く伸びた部分のユニット内面側に前記開口部を備えるものとしたこと。
【００１１】
（２）直方体の枠を構成する枠部材の各角部にコーナーキャスティングを備え、予め内装や外装が仕上げられ、複数個を前記コーナーキャスティングの部分でボルト締めによって連結することでコンテナハウスを建築するためのコンテナハウス用ユニットであって、以下の構成を採用したことを特徴とするコンテナハウス用ユニット。
（２−１）長手方向一方の端部のコーナーキャスティングは、当該端部を開口部としたこと。
（２−２）長手方向他方の端部のコーナーキャスティングは、当該コーナーキャスティングに連結される枠部材の連結端よりもユニット内に長く伸びた部分を有し、当該長く伸びた部分のユニット内面側に前記開口部を備えるものとしたこと。
【００１２】
（３）直方体の枠を構成する枠部材の各角部にコーナーキャスティングを備え、予め内装や外装が仕上げられ、複数個を前記コーナーキャスティングの部分でボルト締めによって連結することでコンテナハウスを建築するためのコンテナハウス用ユニットであって、以下の構成を採用したことを特徴とするコンテナハウス用ユニット。
（３−１）全てのコーナーキャスティングを、当該コーナーキャスティングに連結される枠部材の連結端よりもユニット内に長く伸びた部分を有し、当該長く伸びた部分のユニット内面側に前記開口部を備えるものとしたこと。
【００１３】
これら本発明のコンテナハウス用ユニットによれば、コンテナハウスを組み立てる際には、開口部からの作業により、ユニット同士をボルト締めして連結することができる。
【００１４】
ここで、コーナーキャスティングは、一般に、ユニットの外側となるコーナーの三面を構成する厚板を備えている。そして、この三面を構成する厚板には、懸架用として、長円形状の孔が形成されている。
【００１５】
そこで、本発明の（１）のコンテナハウス用ユニットでは、例えば、コンテナの幅方向（左右）に２個のユニットを並べて連結する場合には、左側のユニットの右側のコーナーキャスティングの右側面と、右側のユニットの左側のコーナーキャスティングの左側面とを直接又はスペーサを介して連結する様にボルト締めすればよい。この場合、連結部分のコーナーキャスティングの長手方向の端面を構成する厚板を予め取り除いて（１−１）の開口部を備えさせておくことで、ボルト締めの作業をユニットの外側から容易に実施することができる。この場合、左右に連結したユニットを基礎に固定する作業も、この開口部からの作業で容易に実施することができる。また、本発明の（１）のコンテナハウス用ユニットは、例えば、幅方向（左右）に２個のユニットを並べると共に、長手方向にも２個のユニットを並べて４個のユニットで一つのフロアを構成する組み立ても可能である。この場合、この４個のユニットの連結部のコーナーキャスティングを（１−２）の構成としておくのである。こうすることで、ユニットの内側の開口部から手や工具を挿入して、４個のユニットのボルト締めによる連結固定、さらには、これらのユニットを基礎に固定する作業を実行することができる。
【００１６】
本発明の（２）のコンテナハウス用ユニットは、長手方向一方端は当該端部を開口部としたコーナーキャスティングとし、他方端はユニット内面側に伸びた部分に開口部を有するコーナーキャスティングとして規格化されている。前述の様に、幅方向（左右）に２個のユニットを並べると共に、長手方向にも２個のユニットを並べて４個のユニットで一つのフロアを構成する組み立てを行うときは、（２−２）のコーナーキャスティングを備える端部同士を長手方向の連結部とする様にコンテナハウス用ユニットを並べることで、前述の様な連結固定作業を容易に実施することができる。
【００１７】
さらに、本発明の（３）のコンテナハウス用ユニットは、コンテナハウスを組み立てる際、全てのユニットがユニット内面側に設けられたコーナーキャスティングの開口部からの作業で、上下方向、左右方向、長手方向のどの方向への連結固定も容易に実施することができる。従って、長手方向に３個以上連結固定する場合も容易にこれを実施することができる。
【００１８】
ここで、（４）これらの本発明の（１）〜（３）のコンテナハウス用ユニットにおいて、（４−１）「前記長く伸びた部分のユニット内面側の開口部は、ユニット下側に位置する場合は上面に向かって開口する上面開口部として構成し、ユニット上側に位置する場合は下面に向かって開口する下面開口部として構成したこと。」という構成を採用するとさらに作業性が向上する。
【００１９】
従って、本願は、上記目的を達成するコンテナハウスとして、次の構成からなるコンテナハウスを提案する。
即ち、直方体の枠を構成する枠部材の各角部にコーナーキャスティングを備え、予め内装や外装が仕上げられたコンテナハウス用ユニットを、前記コーナーキャスティングの部分でボルト締めによって連結して建築されるコンテナハウスであって、以下の構成を採用したことを特徴とするコンテナハウスである。
（５−１）前記コンテナハウス用ユニットを、幅方向に２個以上、長手方向に２個以上連結することにより、同一フロアに４個以上のコンテナハウス用ユニットを用いること。
（５−２）前記コンテナハウス用ユニットとして、前記（１）〜（４）のいずれかのコンテナハウス用ユニットを、同一フロアの４個のユニットの連結部に、前記ユニット内面側に前記開口部を備えるコーナーキャスティングが位置する様に用いること。
【発明の効果】
【００２０】
本発明によれば、海上や陸上を輸送されてきたコンテナハウス用ユニットをそのまま連結することができるから、作業が容易である。また、かかる効果を発揮するにも拘わらず、ユニットは、海上輸送や陸上輸送に十分に耐え、かつ、クレーン等によるハンドリングにも支障を来すことがない。また、コーナーキャスティングの厚板を介してユニット同士、あるいはユニットと基礎とを連結することができるので、建築基準を十分に満足することができる。そして、本発明によれば、コンテナハウス用ユニットを、幅方向に２個以上、長手方向に２個以上連結することにより、同一フロアに４個以上のコンテナハウス用ユニットを用いる場合の連結作業を容易に実施することができる。
【発明を実施するための最良の形態】
【００２１】
以下、本発明を具体化した実施形態として、ワンルーム式アパートを建設する例について説明する。
【００２２】
実施形態により建設するワンルーム式アパート１の間取り図を図１に示す。図示の様に、このワンルーム式アパート１は、一階フロア１０に２室と、二階フロア２０に２室の合計４室二階建ての構成となっている。各居室１０Ａ，１０Ｂ，２０Ａ，２０Ｂには、玄関、ホール、キッチン、洋室、トイレ、洗面所、浴室、収納１、収納２とバルコニーとが備わっている。なお、「洗」は洗濯機置き場を、「冷」は冷蔵庫置き場を示している。また、階段３１と、一階廊下３２と、二階廊下３３とを備えている。
【００２３】
このワンルーム式アパート１の一階フロア１０は、図２に示す様に、一階居室ユニット１１〜１６と、一階階段ユニット１７と、一階階廊下ユニット１８と、一階バルコニーユニット１９とを連結して建築される。同じく二階フロア２０は、図３に示す様に、予め内装や外装が仕上げられた二階居室ユニット２１〜２６と、二階階段ユニット２７と、二階階廊下ユニット２８と、二階バルコニーユニット２９とを連結して建築される。
【００２４】
一階居室ユニット１１〜１６及び二階居室ユニット２１〜２６は、いずれも、海上輸送用の２０フィートコンテナを母体として、その組み立て位置に応じた内装や外装が施されている。
【００２５】
この居室ユニット１１等を構成するコンテナ同士はコーナーキャスティングを介して互いに連結されることによってワンルーム式アパート１の居室１０Ａ，１０Ｂ，２０Ａ，２０Ｂを構成することができる。
【００２６】
ここで、一階居室ユニット１１〜１６においては、図４（Ａ），（Ｂ）に示す様に、廊下側の一階居室ユニット１１〜１３の廊下側に位置するコーナーキャスティング４０Ａは、いずれも廊下に面する前面側を開口部５１として開放されている。以下、前面側を開口とされているものを、「前面開放型コーナーキャスティング４０Ａ」という。また、廊下側の一階居室ユニット１１，１３とバルコニー側の一階居室ユニット１４，１６の外壁側のコーナーキャスティング４０Ｂは、側面側を開口部５１として開放されている。以下、側面側を開口とされているものを、「側面開放型コーナーキャスティング４０Ｂ」という。さらに、バルコニー側の一階居室ユニット１４〜１６のバルコニー側のコーナーキャスティング４０Ｃは、後面側を開口部５１として開放されている。以下、後面側を開口とされているものを、「後面開放型コーナーキャスティング４０Ｃ」という。また、一階居室ユニット１１〜１６の居室内の連結位置にあるコーナーキャスティング４０Ｄは、それぞれ、ユニット内側に長いタイプのものとなっており、ユニット内面側に開口部５１が形成されている。以下、ユニット内面側に開口を有する長いタイプのものを、「内面開放長型コーナーキャスティング４０Ｄ」という。
【００２７】
同じく、二階居室ユニット２１〜２６においては、図５（Ａ）に示す様に、二階床側については、一階居室ユニット１１〜１６と同じく、廊下に面する位置は前面開放型コーナーキャスティング４０Ａとし、バルコニーに面する位置は後面開放型コーナーキャスティング４０Ｃとし、外壁側の連結位置は側面開放型コーナーキャスティング４０Ｂとし、居室内連結位置を内面開放長型コーナーキャスティング４０Ｄとしている。
【００２８】
一方、二階居室ユニット２１〜２６の天上側については、図５（Ｂ）に示す様に、各角部について、開口部のない封鎖型コーナーキャスティング４０Ｅを備える構成としている点で、一階居室ユニット１１〜１６と異なる構造としてある。これは、本実施形態は二階建てのワンルーム式アパート１を対象としていることから、これらの位置については、さらに上下左右にコンテナユニットを連結しないからである。
【００２９】
次に、これら居室ユニット１１〜１６，２１〜２６を構成するコンテナ同士の連結方法について説明する。
【００３０】
まず、図４（Ａ）に示した配置で一階居室ユニット１１〜１６を固定するため、図６に示す様に、必要箇所にアンカーボルト５３を埋め込んだ状態の基礎５５を敷設する。そして、図７に示す様に、この基礎５５のアンカーボルト埋設箇所に、一階居室ユニット１１〜１６のコーナーキャスティング４０Ａ等の底面に挟み込むためのスペーサ６０Ａ等をセットする。
【００３１】
封鎖型コーナーキャスティング４０Ｅとの連結を行う箇所には、ほぼ正方形で中心にアンカーボルト５３を挿通するための孔６１を備えた角柱状凸部６２を有する平板型スペーサ６０Ａをセットする。また、前面開放型コーナーキャスティング４０Ａ、側面開放型コーナーキャスティング４０Ｂ及び後面開放型コーナーキャスティング４０Ｃとの連結を行う箇所には、平板型スペーサ６０Ａを２枚並べた大きさで、角柱状凸部６２を２個備え、長手方向中心に立設した垂直板６３を有する逆Ｔ型スペーサ６０Ｂをセットする。この逆Ｔ型スペーサ６０Ｂの垂直板６３には、後述するボルト締結用のボルト挿通孔６４，６４が上下二箇所設けられている。一方、内面開放長型コーナーキャスティング４０Ｄとの連結を行う箇所には、平板型スペーサ６０Ａを４枚集合させたサイズで４個の角柱状凸部６２を有し、平板部の上面に２枚の帯板を交差させた十字板６５が立設された上面十字型スペーサ６０Ｃをセットする。この上面十字型スペーサ６０Ｃの十字板６５にも、ボルト挿通孔６４，６４が上下二箇所を対として４組設けられている。
【００３２】
こうして、スペーサ６０Ａ，６０Ｂ，６０Ｃを基礎５５の必要箇所にセットしたら、一階居室ユニット１１〜１６を、図４（Ａ）の配置となる様に基礎５５の上に載置する。このとき、図８（Ａ）に示す様に、各ユニット１１〜１６の底面に位置するコーナキャスティング４０Ａ等の底面側の懸架用の孔４２と各スペーサ６０Ａ〜６０Ｃの角柱状凸部６２とで位置合わせをする。
【００３３】
ここで、一階居室ユニット１１，１２を基礎５５に連結する方法を詳しく説明する。図８（Ａ）に示す様に、居室ユニットを構成するコンテナの角部に備えられる前面開放型コーナーキャスティング４０Ａは、厚板４１ａ，４１ｂによるＬ字状の部分を備えている。このＬ字状の部分の水平方向の厚板４１ａに形成された懸架用の孔４２を介して基礎５５から立ち上げられているアンカーボルト５３をナット５７で締めることによって、居室ユニット１１，１２を基礎５５に連結固定する。この作業は、前面開放型コーナーキャスティング４０Ａの開口部５１を介して前面から工具や手を差し入れて実施することができる。
【００３４】
ここで、角柱状凸部６２の高さは、コーナーキャスティング４０Ａの厚板４１ａ，４１ｂとほぼ同じ厚さ（約３５〜４０ｍｍ）である。従って、居室ユニット１１，１２を基礎５５の上にセットしたときに、角柱状凸部６２とコーナーキャスティング４０Ａの底の厚板４１ａとは、上面がほぼ面一となる。
【００３５】
締結の際には、この厚板４１ａとナット５７の間に、当て板６７を当ててボルト締めを行う。この当て板６７は、懸架用の孔４２の幅よりも大きく、ボルトの軸を挿通することのできる貫通孔６９を備えたものである。また、この当て板６７は、コーナーキャスティング４０Ａの厚板４１ａ，４１ｂとほぼ同じ厚さ（約２０ｍｍ）である。
【００３６】
また、一階居室ユニット１１，１２を互いに締結する。この締結作業は、図８（Ａ）に示す様に、前面開放型コーナーキャスティング４０Ａの垂直方向の厚板４１ｂに形成されたボルト挿通用の孔４３、及び逆Ｔ型スペーサ６０Ａの垂直板６３に形成されたボルト挿通孔６４を介して、ボルト・ナット４５を挿入・締結することによって行われる。この作業も、前面開放型コーナーキャスティング４０Ａの開口部５１を介して前面から工具や手を差し入れて実施することができる。
【００３７】
次に、一階居室ユニット１１，１２，１３，１４の床面側を連結する作業について説明する。図９に示す様に、居室ユニット１１〜１４の床面側連結箇所となる角部に備えられている内面開放長型コーナーキャスティング４０Ｄは、それぞれのユニットの内面側に長く伸びた形状を呈すると共に、ユニット内面側に開口部５１を備えているので、この開口部５１から工具や手を差し入れ、アンカーボルト５３をナット５７で締めて、居室ユニット１１〜１４を基礎５５に連結固定する。
【００３８】
また、同じく、ユニット内面側の開口部５１から工具や手を差し入れ、各コーナーキャスティング４０Ｄの垂直方向の厚板４１ｂに形成されたボルト挿通用の孔４３及び上面十字型スペーサ６０Ｃの十字板６５に形成されたボルト挿通孔６４を介して、ボルト・ナット４５を挿入・締結する。こうして、一階居室ユニット１１，１２，１３，１４の床面側を基礎５５及び隣接するユニットに対して連結固定することができる。
【００３９】
次に、一階居室ユニット１１，１２と二階居室ユニット２１，２２とを廊下側において連結する作業について説明する。図１０に示す様に、居室ユニット１１，１２の廊下側の天上側角部に備えられている前面開放型コーナーキャスティング４０Ａは、一階居室ユニット１１，１２を基礎５５に連結固定したのと同じく、前面側の開口部５１から工具や手を差し入れ、ボルト・ナット４５を用いて連結固定する。
【００４０】
ここで、コーナーキャスティング４０Ａの間には、図１１に示す様な十字型スペーサ７１を挟み込む。この十字型スペーサ７１は、逆Ｔ型スペーサ６０Ａにおける角柱状凸部６２及び垂直板６３と同様の角柱状凸部７３及び垂直板７５を上下に備えたものである。
【００４１】
次に、一階居室ユニット１１，１２と二階居室ユニット２１，２２とを、バルコニー側、即ち、居室の内側において連結する作業について説明する。図１２に示す様に、一階居室ユニット１１，１２のバルコニー側の天上側角部に備えられている内面開放長型コーナーキャスティング４０Ｄと、二階居室ユニット２１，２２のバルコニー側の床面側角部に備えられている内面開放長型コーナーキャスティング４０Ｄとには、各ユニットの内面側に開口部５１があり、ここから工具や手を差し入れ、ボルト・ナット４５を用いて、隣接するコーナーキャスティング同士を連結固定することができる。
【００４２】
なお、一階と二階を連結固定する際には、図１３に示す様に、先に一階側のユニット１１，１２を、十字型スペーサ７１を挟んだ状態にて連結固定しておき、十字型スペーサ７１の角柱状凸部７３に、円錐台形状の頭部を有するダボ８０を嵌め込んでおいて二階側のユニット２１，２２の位置決めをし易くしておくと作業がスムーズになる。
【００４３】
こうして、図１４に示す様に、基礎５５の上に一階居室ユニット１１〜１６の６個のコンテナユニットを連結固定し、さらに、その上に二階居室ユニット２１〜２６の６個のコンテナユニットを連結固定し、合計１２個のコンテナユニットにより、４室の居室を有するワンルーム式アパート１の本体が組み立てられる。なお、この組み立てに当たっての側面開放型コーナーキャスティング４０Ｂ及び後面開放型コーナーキャスティング４０Ｃの部分御連結固定は、前面開放型コーナーキャスティング４０Ａの部分の連結固定と同様に、建物の外側に面する開口部５１からの作業により実施することができる。こうして本体を組み立てたら、一階階段ユニット１７、一階階廊下ユニット１８、一階バルコニーユニット１９、二階バルコニーユニット２９、二階階段ユニット２７、二階階廊下ユニット２８及び二階バルコニーユニット２９を建物の外側からの作業にて順次連結固定することにより、本実施形態のワンルーム式アパート１が完成する。
【００４４】
本実施形態によれば、開口部５１からコーナーキャスティング４０Ａ，４０Ｂ，４０Ｃ，４０Ｄ内に工具や手を差し入れてユニット同士をボルト締めにより連結することができる。特に、内面開放長型コーナーキャスティング４０Ｄを備えることにより、完成時に建物内部となる連結箇所があっても組み立てることができるので、２０フィートコンテナをベースとするユニットにより、ワンルーム式アパート１を容易に組み立てることができる。
【００４５】
また、上下方向の連結に用いる孔４２には、スペーサ６０Ａ等の角柱状凸部６２が嵌め込まれており、しかも、この角柱状凸部６２は、コーナーキャスティングを構成する厚板とほぼ同じ厚さ（約２０ｍｍ）であり、かつ、この凸部６２の上（又は下）に、孔４２の幅よりも大きい厚さ約２０ｍｍの当て板６７が当てられているから、ボルトによる締結力は、孔４２が形成された厚板４１ａに対して十分に作用する。よって、十分な強度の連結が可能となる。
【００４６】
また、実施形態では、コーナキャスティング４０Ａ，４０Ｂ，４０Ｃ，４０Ｄには開口部５１を設けたが、懸架用の孔４２を有する２面の厚板４１ａ，４１ｂは備えられている。また、コーナキャスティング４０Ａ等に開口部５１を設けただけなので、余分な張り出しもない。よって、コーナーキャスティング自体の強度は十分に確保されており、余分な張り出しがないから通常のコンテナ輸送方法を採用することができ、クレーン等で懸架することも可能である。従って、輸送時における取扱い上の支障を来すことがない。また、コーナキャスティング４０Ａ等の厚板同士を連結固定する構造となっているので、建築基準を十分に満足することができる。
【００４７】
さらに、実施形態では、スペーサ６０Ａ等を挟み込むこととしたので、ユニットの間隔を調整することができると共に、ユニットが一体化され十分な連結強度が得られる。
【００４８】
また、スペーサ６０Ａ等に一体的に設けられた凸部６２を備えていることから、スペーサ６０Ａ等を挟み込む際に正確に位置合わせをすることができる。
【００４９】
次に、第２実施形態を説明する。第２実施形態は、図１５（Ａ）に示す様に、床面側も天上側も、廊下側は前面開放型コーナーキャスティング４０Ａとし、バルコニー側は内面開放長型コーナーキャスティング４０Ｄとしたユニットと、図１５（Ｂ）に示す様に、床面側も天上側も、廊下側は内面開放長型コーナーキャスティング４０Ｄとし、バルコニー側は後面開放型コーナーキャスティング４０Ｃとしたユニットとを用いて、図１５（Ｃ）に示す様な配置方法にて連結固定する様にしてもよい。この場合、ユニットの基本構造を規格化することができる。
【００５０】
次に、第３実施形態を説明する。第３実施形態は、図１６（Ａ）に示す様に、全てのコーナーキャスティングを、内面開放長型コーナーキャスティング４０Ｄとしたユニットを用いて、図１６（Ｂ）に示す様な配置方法にて連結固定する様にしてもよい。この場合、より一層ユニットの基本構造を規格化することができる。また、図１６（Ｃ）に示す様に、長手方向に３個以上を連結することも可能である。
【００５１】
次に、第４実施形態を説明する。第４実施形態は、図１７，図１８に示す様に、居室ユニット１１１〜１１４の床面側連結箇所となる角部に備えられているユニット内面に伸びる長型コーナーキャスティング１４０Ｄとして、ユニット内面側方ではなく、ユニット内面上方に向かって開口する上面開口部１５１を備えた。なお、図１９に示す様に、一階居室ユニット１１１，１１２の天井側は、逆に、下方に向かって開口する下面開口部１５２が形成されており、この下面開口部１５２と二階居室ユニット１２１，１２２の上面開口部１５１とからの作業によって連結固定を実行する。これにより、連結作業がさらに容易になる。なお、ユニットを製造する際に、床板や天上板を長手方向の枠部材の付近のみを未施行の状態で製造し、ユニット同士の連結後に当該未施行部分の床板や天上板を施行するだけでよく、側面側に開口部を形成した第１〜第３実施形態よりもさらに有利である。
【００５２】
以上、本発明を実施形態に基づいて説明したが、本発明は、これら実施形態に限定されるものではなく、その要旨を逸脱しない範囲内における種々の変更が可能である。
【図面の簡単な説明】
【００５３】
【図１】実施形態の対象となるワンルーム式アパートの居室配置等を示す平面図である。
【図２】実施形態の対象となるワンルーム式アパートの一階構成部品を示す平面図である。
【図３】実施形態の対象となるワンルーム式アパートの二階構成部品を示す平面図である。
【図４】実施形態の対象となるワンルーム式アパートの一階の居室ユニット配置状況を示す平面図である。
【図５】実施形態の対象となるワンルーム式アパートの二階の居室ユニット配置状況を示す平面図である。
【図６】実施形態の対象となるワンルーム式アパートの基礎を示す平面図である。
【図７】実施形態の対象となるワンルーム式アパートの基礎に対して取り付けるスペーサの取付位置及び種類を示す説明図である。
【図８】実施形態における基礎と一階居室ユニットのバルコニー側での連結方法を示し、（Ａ）は連結部を廊下側から見た垂直断面図、（Ｂ）は連結部の水平断面図である。
【図９】実施形態における基礎と一階居室ユニットの建物内部での連結方法を示し、（Ａ）は連結部の水平断面図、（Ｂ）は連結部のバルコニー側から見た立面図である。
【図１０】実施形態における一階居室ユニットと二階居室ユニットのバルコニー側での連結方法を示す垂直断面図である。
【図１１】一階居室ユニットと二階居室ユニットの連結持に用いるスペーサの断面図である。
【図１２】実施形態における一階居室ユニットと二階居室ユニットの建物内部での連結方法を示す立面図である。
【図１３】実施形態における一階居室ユニットと二階居室ユニットの連結時の位置合わせの容易化を図るための方法を示す垂直断面である。
【図１４】実施形態の対象となるワンルーム式アパートの居室部分の組み立て状態における斜視図である。
【図１５】第２実施形態における居室ユニットの構造及び配置を示す平面図である。
【図１６】第３実施形態における居室ユニットの構造及び配置を示す平面図である。
【図１７】第４実施形態における基礎と一階居室ユニットの建物内部での連結方法を示す平面図である。
【図１８】図１７の断面図を示し、（Ａ）は水平断面図、（Ｂ）は垂直断面図である。
【図１９】第４実施形態における一階居室ユニットと二階居室ユニットの建物内部での連結方法を示す平面図である。
【符号の説明】
【００５４】
１・・・ワンルーム式アパート、  １０・・・一階フロア、  １０Ａ，１０Ｂ・・・一階居室、  １１〜１６・・・一階居室ユニット、  １７・・・一階階段ユニット、  １８・・・一階階廊下ユニット、  １９・・・一階バルコニーユニット、  ２０・・・二階フロア、  ２０Ａ，２０Ｂ・・・二階居室、  ３１・・・階段、  ３２・・・一階廊下、  ３３・・・二階廊下、  ２１〜２６・・・二階居室ユニット、  ２７・・・二階階段ユニット、  ２８・・・二階階廊下ユニット、  ２９・・・二階バルコニーユニット、  ４０Ａ・・・前面開放型コーナーキャスティング、  ４０Ｂ・・・側面開放型コーナーキャスティング、  ４０Ｃ・・・後面開放型コーナーキャスティング、  ４０Ｄ・・・内面開放長型コーナーキャスティング、  ４０Ｅ・・・封鎖型コーナーキャスティング、  ４１ａ，４１ｂ・・・厚板、  ４２・・・懸架用の孔、  ４３・・・ボルト挿通用の孔、  ４５・・・ボルト・ナット、  ５１・・・開口部、  ５３・・・アンカーボルト、  ５５・・・基礎、  ５７・・・ナット、  ６０Ａ・・・平板型スペーサ、  ６０Ｂ・・・逆Ｔ型スペーサ、  ６０Ｃ・・・上面十字型スペーサ、  ６１・・・アンカーボルトを挿通するための孔、  ６２・・・角柱状凸部、  ６３・・・垂直板、  ６４・・・ボルト挿通孔、  ６５・・・十字板、  ６７・・・当て板、  ６９・・・貫通孔、  ７１・・・十字型スペーサ、  ７３・・・角柱状凸部、  ７５・・・垂直板、  ８０・・・ダボ、  ９１・・・スペーサ、  ９２・・・当て板、  ９３・・・凸部のある当て板、  ９４・・・凸部のない当て板、  ９５・・・台、  ９６・・・ダボ、  ９７・・・当て板、  ９８・・・凸部、  ９９・・・スペーサ、  １１１〜１１４・・・一階居室ユニット、  １２１，１２２・・・二階居室ユニット、  １４０Ｄ・・・長型コーナーキャスティング、  １５１・・・上面開口部、  １５２・・・下面開口部。
【図１】
2007224707.tif 000003
【図２】
2007224707.tif 000004
【図３】
2007224707.tif 000005
【図４】
2007224707.tif 000006
【図５】
2007224707.tif 000007
【図６】
2007224707.tif 000008
【図７】
2007224707.tif 000009
【図８】
2007224707.tif 000010
【図９】
2007224707.tif 000011
【図１０】
2007224707.tif 000012
【図１１】
2007224707.tif 000013
【図１２】
2007224707.tif 000014
【図１３】
2007224707.tif 000015
【図１４】
2007224707.tif 000016
【図１５】
2007224707.tif 000017
【図１６】
2007224707.tif 000018
【図１７】
2007224707.tif 000019
【図１８】
2007224707.tif 000020
【図１９】
2007224707.tif 000021